(57)【要約】【課題】前扉を解錠する開閉フックの不正操作を防止することができる遊技機のガードプレートの不正操作防止構造を提供する。【解決手段】ガードプレート２４を、筐体２に取り付けられるメインプレート２４０と、このメインプレート２４０に接合されると共に、施錠受け金具２４１ｂを備えたサブプレート２４１とから構成する。さらに、メインプレート２４０には、施錠受け金具２４１ｂの後方に向かって延びる延出部２４０ｂを形成すると共に、施錠受け金具２４１ｂを、延出部２４０ｂの前端縁にほぼ一致させると共にサブプレート２４１のほぼ前後中心に位置させた。【選択図】図３
2008228882.tif 000002
【特許請求の範囲】
【請求項１】
遊技機の筐体内開口部に沿って配設され、前扉に設けられた施錠装置の開閉フックが係合することによって前記前扉を施錠する施錠受け金具を備えた遊技機のガードプレートの不正操作防止構造において、
前記ガードプレートは、前記筐体に取り付けられる第１のプレート部材と、前記第１のプレート部材に接合されると共に、前記施錠受け金具を備えた第２のプレート部材とを備え、前記第１のプレート部材に前記施錠受け金具の後方に向かって延びる延出部を形成し、かつ、前記施錠受け金具を、前記延出部の前端縁にほぼ一致させると共に前記第２のプレート部材のほぼ前後中心に位置させたことを特徴とする遊技機のガードプレートの不正操作防止構造。
【発明の詳細な説明】
【技術分野】
【０００１】
この発明は、スロットマシン等の遊技機のガードプレートの不正操作防止構造に関し、さらに詳しくは、施錠受け金具を備えたガードプレートの不正操作防止構造に関する。
【背景技術】
【０００２】
従来、この種のガードプレート（所謂キャビネット板金）にあっては、図７に示されるように、木製の筐体２内右側の開口縁に沿って配設され、このガードプレート２４の上下２つの施錠受け金具２４ａ，２４ｂに、図示しない前扉に配設された施錠装置の上下２つの開閉フック（連動式）が係合することによって、前扉を施錠するようになっていた（例えば、特許文献１参照）。
【０００３】
【特許文献１】特開２００５−２１４３８号公報
【発明の開示】
【発明が解決しようとする課題】
【０００４】
しかしながら、上記従来のガードプレートにあっては、図７に示されるように、２つの施錠受け金具２４ａ，２４ｂは、前後方向に延びたガードプレート２４の後部（背板部２ｅに臨んだ面部のこと）を、左側板部２ｂに向かって延びるように垂直に切り起こすことによって形成されている。このため、施錠受け金具２４ａ，２４ｂの後方には、木製の右側板部２ｃが連なることとなるので、施錠受け金具２４ａ或いは２４ｂ近傍の右側板部２ｃがドリル等で孔があけられて、その孔から挿入された針金等の異物によって開閉フックが不正操作され、前扉が解錠されてしまうという問題があった。
【０００５】
本発明は、こうした事情に鑑みてなされたものであり、前扉を解錠する開閉フックの不正操作を防止することができる遊技機のガードプレートの不正操作防止構造を提供することを目的とする。
【課題を解決するための手段】
【０００６】
上記目的を達成するため請求項１に記載の発明は、遊技機の筐体内開口部に沿って配設され、前扉に設けられた施錠装置の開閉フックが係合することによって前記前扉を施錠する施錠受け金具を備えた遊技機のガードプレートの不正操作防止構造において、
前記ガードプレートは、前記筐体に取り付けられる第１のプレート部材と、前記第１のプレート部材に接合されると共に、前記施錠受け金具を備えた第２のプレート部材とを備え、前記第１のプレート部材に前記施錠受け金具の後方に向かって延びる延出部を形成し、かつ、前記施錠受け金具を、前記延出部の前端縁にほぼ一致させると共に前記第２のプレート部材のほぼ前後中心に位置させたことを特徴とする。
【０００７】
請求項１に記載の発明によれば、ガードプレートは、筐体に取り付けられる第１のプレート部材と、第１のプレート部材に接合されると共に、施錠受け金具を備えた第２のプレート部材とを備えている。さらに、第１のプレート部材には、施錠受け金具の後方に向かって延びる延出部が形成されていると共に、施錠受け金具を、延出部の前端縁にほぼ一致させると共に第２のプレート部材のほぼ前後中心に位置させた。これにより、施錠受け金具周りは、ほぼ第１のプレートと第２のプレートとの２重板構造となると共に、施錠受け金具の後方は、第１のプレートの延出部が配置されることとなるので、施錠受け金具近傍に筐体内に達する孔をあけることはできなくなる。従って、開閉フックの不正操作を防止することができるようになる。
【発明の効果】
【０００８】
本発明の遊技機のガードプレートの不正操作防止構造によれば、施錠受け金具の周りをほぼ２重板構造とすると共に、施錠受け金具の後方に延出する延出部を設けた。これにより、施錠受け金具近傍に筐体内に達する孔をあけることはできなくなるので、開閉フックの不正操作を防止することができる。
【発明を実施するための最良の形態】
【０００９】
以下、本発明の好適な一実施形態を、スロットマシンを例に図面を参照して説明する。図１は、スロットマシンの正面図、図２は、前扉を開放した状態におけるスロットマシンの内部構造を示した正面図である。なお、従来と同様の構成部材については、同一の符号を付している。
【００１０】
スロットマシン１は、図１，２に示されるように、前面が開放した矩形状箱体の筐体（所謂キャビネット、図２に図示）２と、この筐体２にスライドヒンジ３，３を介して開閉可能に取り付けられた右開き（左ヒンジ）の前扉（所謂フロントマスク）４と、を備えて構成されている。
【００１１】
まず、筐体２の内部構造について説明する。
筐体２は、図２に示されるように、いずれも木製の上板部２ａ、左右側板部２ｂ，２ｃ、底板部２ｄ、背板部２ｅを備えて構成されている。
筐体２内の背板部２ｅの上部には、スロットマシン１の全体動作を集中制御するＣＰＵ（マイコン）を備えた主制御基板２０が、硬質プラスチック製のカバー２１内に収容された状態で取り付けられている。カバー２１は、主制御基板側に設けられた基板側カバーに蓋側カバーが重ね合わされた状態で、両カバー上部間に跨った２つのかしめ具としてのかしめキャップ２２により内部封止がなされている。かしめキャップ２２は、ほぼ円筒状の本体部の左右側部に一体形成された前後２つの固定係止爪が、それぞれ基板側カバー或いは蓋側カバーの所定位置に係止することにより、基板側カバーと蓋側カバーとを抜け止め固定し、カバー２１を封止するようになっている。
【００１２】
また、筐体２内の右側板部２ｃの上部には、スロットマシン１からホールコンピュータに向かって所定の情報データ（例えば、大当たり、払い戻し数等）を出力するための外部出力端子を備えた外部集中端子基板２３が取り付けられている。さらに、この右側板部２ｃには、前扉４の施錠装置４６の開閉フック４６１，４６２が係合する施錠受け金具２４０ａ，２４１ｂを備えたガードプレート２４が取り付けられている。なお、このガードプレート２４の詳細については後述する。
【００１３】
筐体２内の中央には、リール１０１ａ，１０１ｂ，１０１ｃを備えた可変表示装置を構成するリールユニット１００が配設されている。このリールユニット１００は、左右側板部２ｂ，２ｃ、背板部２ｅによって支持された金属製のフレーム板部２ｆの上面に載置されているものであって、前扉４が筐体２側に閉じられると、前扉４のパネル面５０の表示窓５１に、複数種類の図柄や数字等による識別情報が描かれたリール１０１ａ，１０１ｂ，１０１ｃが位置するようになっている。また、フレーム板部２ｆの左右基端部の下方側には、スロットマシン１を移動する際に指が挿入される断面ハット型の取っ手２５，２５が、左右側板部２ｂ，２ｃの開口部２ｂ１，２ｃ１（図５に図示）に連なって設けられている。
【００１４】
リール１０１ａ，１０１ｂ，１０１ｃは、それぞれに内蔵されたステッピングモータによって回転駆動されるものであって、リールユニット１００の上面には、ステッピングモータへ４相の駆動パルス信号を送出する回胴装置基板２６が取り付けられている。そして、主制御基板２０が回胴装置基板２６に回胴駆動（励磁）パルスデータを送出することで、リールｌ０１ａ，１０１ｂ，１０１ｃの回転、制動及び停止の制御が行われるようになっている。
【００１５】
リールユニット１００の下方側、つまり筐体２内の底板部２ｄの上面中央には、筐体２内に投入されたメダル等の遊技媒体（以下、メダルという）を一時的に貯留し、必要に応じて払い出すメダル払出装置としてのホッパー装置２７が取り付けられている。このホッパー装置２７の右側には、このホッパー装置２７から溢れたメダルを収容するためのサブタンク２８が取り付け固定されている。また、ホッパー装置２７の左側には、外部から電力供給を受けて内部装置に必要な電力を供給する主電源装置２９がアースされた状態で取り付け固定されている。この主電源装置２９には、いわゆる配電盤に相当する電源装置基板が内蔵されている。
【００１６】
次に、前扉４の外部構成について説明する。
前扉４の前面側は、図１に示されるように、遊技者に面する「前面パネル部」として視覚効果を高めるようにデザインされた所謂化粧板として硬質プラスチックにより一体形成されているものであって、上部パネル部５、下部パネル部６、操作卓７にほぼ区分されるようになっている。
【００１７】
上部パネル部５の中央には、パネル面５０が設けられている。このパネル面５０のほぼ中央には、略矩形状の透明な表示窓５１が設けられており、この表示窓５１を通して、筐体２内に設けられたリールユニット１００の３個のリール１０１ａ，１０１ｂ，１０１ｃを目視できるようになっている。
【００１８】
上部パネル部５の上部や左右側部には、レンズパネルの内部に蛍光灯や高輝度発光ダイオード等の光源を内蔵する照明手段としての照明演出装置５２、演出用照明部５３ａ〜５３ｆが配設されている。これら照明演出装置５２、演出用照明部５３ａ〜５３ｆは、ゲームの進行に応じて点灯或いは点滅することで、ゲームにおける視覚的な演出効果を高めるようになっている。また、照明手段としての照明演出装置５２は、スロットマシン１の遊技状態を報知する手段としても機能するようになっている
【００１９】
照明演出装置５２の下方には、ゲームに係る効果音を発生するスピーカ４２ａ，４２ｂ（図２に図示）を内蔵した左右一対の演出用放音部５４ａ，５４ｂと、液晶表示演出装置５５とが配設されている。液晶表示演出装置５５は、透明な硬質プラスチック板等が嵌め込まれることによって形成されたスロットマシン１の演出装置であって、ゲームの演出に係る映像やゲーム（遊技）に関する情報を主に表示するようになっている。
【００２０】
下部パネル部６には、スロットマシン１のモデルタイプを遊技者へ認識させる等のため、登場キャラクターの意匠等を表示するパネル６１が設けられている。このパネル６１の下方には、受皿ユニット６２、入賞時にメダルを排出するメダル払出口６３、演出効果音を発生するスピーカ４５ａ，４５ｂ（図２に図示）を内蔵した演出用放音部６４ａ，６４ｂ等が配設されている。さらに、受皿ユニット６２には、メダル払出口６３から払い出されたメダルを貯留する受皿部６２ａが一体形成されていると共に、遊技者の喫煙の用に供するための灰皿部材６５が設けられている。
【００２１】
また、パネル６１の左右両側には、レンズパネルの内部に高輝度発光ダイオード等の光源を内蔵する演出用照明部６６ａ，６６ｂが配設されている。これら演出用照明部６６ａ，６６ｂは、照明演出装置５２、演出用照明部５３ａ〜５３ｆと同様に、ゲームの進行に応じて点灯或いは点滅することで、ゲームにおける視覚的な演出効果を高めるようになっている。
【００２２】
操作卓７は、その上面側に、メダル投入部７１、ベットボタン７２，７３が配設されていると共に、前面側に、スタートレバー７４、ストップボタン７５ａ，７５ｂ，７５ｃ、精算ボタン７６、イジェクトボタン７７、鍵穴７８が配設されている。
【００２３】
メダル投入部７１には、ゲームに賭けるメダルを筐体２内に投入するためのメダル投入口が一体的に形成されている。
ベットボタン７２，７３は、スロットマシン１の１ゲームに賭けるメダルの枚数を提示するためのボタンスイッチである。すなわち、ゲームを開始する際に、ベットボタン７２を１回押圧操作すると、貯留されているメダルのなかから１枚のメダルがゲームに対して賭けられ、また、ベットボタン７３を１回押圧操作すると、３枚のメダルが当該ゲームに賭けられる。このため、ベットボタン７２は、「１ベットボタン」、ベットボタン７３は、最大枚数のメダルを賭けることができるので、「マックスベットボタン」と呼ばれている。
【００２４】
スタートレバー７４は、リール１０１ａ〜１０１ｃの回転開始を指示するためのレバースイッチである。
ストップボタン７５ａ，７５ｂ，７５ｃは、スタートレバー７４によって回転動しているリール１０１ａ，１０１ｂ，１０１ｃの回転停止をそれぞれ指示するためのボタンスイッチであって、各リールの配列に対応して並設されている。
精算ボタン７６は、ゲームに賭けたメダルの払い出しを指示すると共に、メダルクレジット手段（図示せず）が内部保留したメダルの払い出しを指示するためのボタンスイッチである。
【００２５】
イジェクトボタン７７は、メダル投入後に詰まったメダルを排出するボタンスイッチである。
鍵穴７８は、シリンダ錠の前面に位置しており、この鍵穴７８に鍵を挿入して所定のキー操作（時計回り方向に回動させた状態）で、前扉４を開方向に旋回させると、前扉４を開けることができるようになっている。なお、前扉４は、閉じると自動的に施錠されるようになっている。
【００２６】
次に、前扉４の裏面構造について説明する。
図２に示されるように、前扉４の裏面側上部、つまり、液晶表示演出装置５５の裏面側にあたる位置には、電気回路基板によって形成されたサブ制御基板４０が、カバー２１と同様の態様とされた硬質プラスチック製のカバー４１に収納された状態で配設されている。このサブ制御基板４０は、液晶表示演出装置５５による演出映像の表示制御、照明演出装置５２及び演出用照明部５３ａ〜５３ｆ、６６ａ，６６ｂを用いた演出効果照明制御、演出用放音部５４ａ，５４ｂ，６４ａ，６４ｂを用いた演出効果音制御等、ゲームの演出に係る制御を主に行う。また、このサブ制御基板４０の左右側、つまり演出用放音部５４ａ，５４ｂの裏面側にあたる位置には、左右一対のスピーカ４２ａ，４２ｂが配設されている。
【００２７】
サブ制御基板４０の下方側、すなわち、パネル面５０の裏面側にあたる位置には、図示はしないが、リールｌ０１ａ，１０１ｂ，１０１ｃの外周面を照射して図柄を明るく表示させるための冷陰極蛍光ランプと、冷陰極蛍光ランプを駆動するインバータと、硬質プラスチック製の中央制御基板カバーに収納された中央制御基板とが、ユニット化された状態で取り付けられるようになっている。
【００２８】
操作卓７の裏面側の、メダル投入部７１の下方側にあたる位置には、メダル選別装置４３が配設されている。このメダル選別装置４３は、メダル投入部７１から投入されたメダルの適否を判別し振り分ける装置である。さらに、このメダル選別装置４３は、メダルセンサを内蔵しており、ゲームの待機状態等において正規のメダルが投入されてメダルセンサがこのメダルを検出すると、メダル投入の受け付けを示す信号を中央制御基板へ送出するようになっている。
【００２９】
また、メダル選別装置４３には、メダル選別装置４３の右側面から排出された正規のメダルを筐体２内に設けられたホッパー装置２７へ案内する紙面奥側から手前側に延びた平面視Ｊ字状のガイド部材４４ａと、メダル選別装置４３により排除されたメダル（或いは異物）を下方のメダル払出口６３へ案内するガイド部材４４ｂとが連なっている。さらに、ガイド部材４４ｂの下部には、ホッパー装置２７から排出されたメダルをメダル払出口６３へ案内するガイド部材４４ｃが連なっている。
また、前扉４の裏面側下部、つまり、演出用放音部６４ａ，６４ｂの裏目側にあたる位置には、左右一対のスピーカ４５ａ，４５ｂが配設されている。
【００３０】
また、鍵穴７８の裏面側には、施錠装置４６が配設されている。この施錠装置４６は、Ｌ字状に屈曲形成された本体フレーム４６０に揺動可能に軸支された上下２つの開閉フック４６１，４６２に連なった連結杆４６３を、シリンダ錠のキー操作により回動するカム板４６５によって上方にスライド移動させて、筐体２側の施錠受け金具２４０ａ，２４１ｂから開閉フック４６１，４６２を離脱させることによって、前扉４を解錠する。
【００３１】
ここで、施錠受け金具を備えたガードプレートの不正操作防止構造について図３〜６を用いて説明する。
図３は、本発明が適用されたガードプレートを備えた筐体の斜視図、図４は、同例における筐体内部の側面図、図５は、同例における筐体とガードプレートとの分解斜視図、図６は、図４中のＡ−Ａ矢視断面図である。
【００３２】
本発明は、施錠受け金具を備えたガードプレートに適用されるものであって、図３〜６に示されるように、ガードプレート２４は、第１のプレート部材としてのメインプレート２４０と、第２のプレート部材としてのサブプレート２４１とを備えて構成されている。
【００３３】
詳述すると、メインプレート２４０は、図３〜５に示されるように、筐体２の開口縁に沿って上下方向に延びた長尺状の板金部材であり、その上部には、施錠受け金具２４０ａが一体形成されている。この施錠受け金具２４０ａは、メインプレート２４０の後縁部から背板部２ｅに向かって矩形状に延出された延出部分を、左側板部２ｂに向かって延びるように垂直に切り起こすことによって形成されている。すなわち、施錠受け金具２４０ａの後方には、右側板部２ｃが連なっている。
【００３４】
また、このメインプレート２４０の中央には、施錠受け金具２４１ｂが備えられる部分を含み、かつ、上方はフレーム板部２ｆの取付位置とほぼ等しい位置まで、下方はサブタンク２８の上面に至るまでの範囲内において、メインプレート２４０の上下部よりも幅広くなるように、後方に向かって延出された延出部２４０ｂ（図中、ハッチングにて示した部分）が形成されている。
【００３５】
サブプレート２４１は、図４〜６に示されるように、メインプレート２４０の側面（筐体２内に臨んだ面部のこと）に重ね合わされた状態で、溶接などの冶金的結合、或いはリベット等の機械的結合によってメインプレート２４０に一体的に結合固定されているものであって、長手方向は、上部は右側板部２ｃ側の取っ手２５の下面に達するまで、下部はサブタンク２８の上面に達するように形成されている。また、短手方向は、メインプレート２４０の前端部から延出部２４０ｂの後端部まで達するように形成されている。
【００３６】
サブプレート２４１の下部には、前扉４の裏面側に設けられた施錠装置４６の回転ローラ４６４を支持するための受け部材２４１ｃが一体的に設けられている。さらに、このサブプレート２４１の中央には、施錠受け金具２４１ｂが一体形成されている。施錠受け金具２４１ｂは、延出部２４０ｂの前端縁でもあるサブプレート２４１のほぼ前後中心において、そのサブプレート２４１の後部（背板部２ｅに臨んだ面部のこと）が、左側板部２ｂに向かって延びるように垂直に切り起こされることによって形成されている。
【００３７】
すなわち、サブプレート２４１は、図４〜６に示されるように、切り欠かれた部分（施錠受け金具２４１ｂとなる部分のこと）以外は、メインプレート２４０に重ね合わされており、前扉４が閉じられる際の衝撃力（開閉フック４６２が係合する際の衝撃力）に十分耐え得るようになっていると共に、施錠受け金具２４１ｂ周りをほぼ２重板構造とするようになっている。また、切り欠かれた部分は、メインプレート２４０の延出部２４０ｂが位置するようになっている。そして、ガードプレート２４が、筐体２内の右側板部２ｃの開口縁にガードプレート２４の形状に応じて形成された凹部２ｃ１（図５，６に図示）に固定ネジによって締結固定された状態にあっては、施錠受け金具２４１ｂの後方には、まず、メインプレート２４０が連なり、それから、右側板部２ｃが連なるようになっている。
【００３８】
以上説明したように本発明によれば、ガードプレート２４は、施錠受け金具２４１ｂの後方に向かって延びる延出部２４０ｂを備え、かつ、施錠受け金具２４１ｂを、延出部２４０ｂの前端縁に一致させると共にサブプレート２４１のほぼ前後中心とした。つまり、施錠受け金具２４１ｂ周りをほぼ２重板構造としたので、施錠受け金具２４１ｂ近傍の右側板部２ｃにドリル等で孔をあけようとしても、ガードプレート２４が立ちはだかるために、筐体２内に達する孔をあけることはできなくなる。また、施錠受け金具２４１ｂから遠く離れた位置にしか孔をあけることはできないようになるうえに、その孔から針金等の異物が差し込まれても、フレーム板部２ｆ、取っ手２５、サブタンク２８等が異物の行く手を阻むようになっている。従って、前扉４を解錠する開閉フック４６１，４６２の不正操作を防止することができるようになる。
【００３９】
なお、上述した実施形態にあっては、施錠受け金具２４１ｂ周りを２重プレート構造としたが、これに限定されるものではなく、施錠受け金具２４０ａ周りを２重プレート構造としてもよい。また、施錠受け金具２４０ａ，２４１ｂ周りを両方ともに２重プレート構造としてもよい。
また、本願発明は、スロットマシンのみに適用されるものではなく、例えば、雀球やアレンジボールなどの箱型のキャビネットを使用した弾球遊技機などにも適用することができる。
【図面の簡単な説明】
【００４０】
【図１】スロットマシンの正面図である。
【図２】前扉を開放した状態におけるスロットマシンの内部構造を示した正面図である。
【図３】本発明が適用されたガードプレートを備えた筐体の斜視図である。
【図４】同例における筐体内部の側面図である。
【図５】同例における筐体とガードプレートとの分解斜視図である。
【図６】図４中のＡ−Ａ矢視断面図である。
【図７】従来のガードプレートを説明するための筐体内部の斜視図である。
【符号の説明】
【００４１】
１…スロットマシン（遊技機）
２…筐体
２４…ガードプレート
２４０…メインプレート（第１のプレート部材）
２４０ａ…施錠受け金具
２４０ｂ…延出部
２４１…サブプレート（第２のプレート部材）
２４１ｂ…施錠受け金具
４…前扉
４６…施錠装置
４６１，４６２…開閉フック
【図１】
2008228882.tif 000003
【図２】
2008228882.tif 000004
【図３】
2008228882.tif 000005
【図４】
2008228882.tif 000006
【図５】
2008228882.tif 000007
【図６】
2008228882.tif 000008
【図７】
2008228882.tif 000009